(57)【要約】【課題】  第１永久磁石と錠箱の側板との間に生じる磁気吸引力を減少させる。【解決手段】  錠箱内のフロント板５付近において、フロント板の板厚方向にに沿って外方の待機位置と内方の作動位置との間を移動可能に案内された第１永久の磁石２を備え、閉扉時扉枠に装着された第２永久磁石との間に生じる磁気反発力により錠箱内方に向かう第１永久磁石の動きを利用するものにおいて、上記作動位置にある第１永久磁石２より内側の錠箱の側板の部分を外方に膨らませることにより両側板の内面に夫々凹陥部９を形成すると共に、各凹陥部のフロント板に近い外端縁１１を、作動位置にある第１永久磁石２の内面の錠箱側面８への投影線付近から外側に形成する。【選択図】  図１
2010209558.tif 000002
【特許請求の範囲】
【請求項１】
錠箱内のフロント板付近において、フロント板の板厚方向にに沿って外方の待機位置と内方の作動位置との間を移動可能に案内された第１永久の磁石を備え、閉扉時扉枠に装着された第２永久磁石との間に生じる磁気反発力により錠箱内方に向かう第１永久磁石の動きを利用するものにおいて、上記第１永久磁石の移動軌跡付近の錠箱の側板の部分を外方に膨らませることにより、両側板の内面に夫々凹陥部を形成したことを特徴とする磁石アクチュエータ。
【請求項２】
上記凹陥部のフロント板に近い外端縁を、作動位置にある第１永久磁石の内面の錠箱側板への投影線にほぼ一致させるようにしたことを特徴とする請求項１に記載の磁石アクチュエータ。
【請求項３】
上記凹陥部のフロント板に近い外端縁を、作動位置にある第１永久磁石の内面の錠箱側板への投影線から外側に形成したことを特徴とする請求項１に記載の磁石アクチュエータ。
【発明の詳細な説明】
【技術分野】
【０００１】
この発明は、磁石アクチュエータに係り、特に、錠箱内に配設され、閉扉時扉枠に装着された永久磁石との間に作用する磁気反発力を利用してスイッチを駆動したりデッドボルトを制御する磁石アクチュエータの、開扉時における待機位置への復帰を円滑にした磁石アクチュエータに関する。
【背景技術】
【０００２】
上記磁石アクチュエータとは本出願人の造語であって、後記特許文献１における作用レバー５（特許文献１の図１参照）、或いは特許文献２におけるトリガー体１４（特許文献２の図１参照）をいうものとする。
【０００３】
上記作用レバー５は、錠箱１内においてフロント板１１の厚さ方向に移動可能に案内された第１永久磁石３を備え、閉扉時、ドア枠２０に装着された第２永久磁石４との間に作用する磁気反発力により時計方向に回動し、アクチュエータ２１を駆動してマイクロスイッチ２から閉扉信号を取り出すものである。
【０００４】
一方、上記トリガー体１４は、閉扉時第１永久磁石１５と扉枠側に固設された第２永久磁石との間に作用する磁気反発力により時計方向に回動し、外方に突出する方向に付勢されているデッドボルト１を解放して自動的にデッドボルトをストライク孔に投入するものである。
【０００５】
上記したように、特許文献１における作用レバーも、特許文献２におけるトリガー体も用途は異なるのだが、構成に係る技術的思想が同一であるので、ここでは磁石アクチュエータと総称するものとする。
【先行技術文献】
【特許文献】
【０００６】
【特許文献１】特開平１１−１１１１１５号公報
【特許文献２】特開平１１−１２５０４８号公報
【発明の概要】
【発明が解決しようとする課題】
【０００７】
周知のように、例えば馬蹄形の磁石の磁極の間に磁性材料の棒を近接させると、磁石は棒を吸着する。それは、磁気抵抗が小さい磁性材料の棒を引きつけて、Ｎ極からの磁束を磁気抵抗が大きい空気中を飛ばさずに棒の中を通し、すなわち磁気抵抗が小さい磁路を通してＳ極に戻すためである。
【０００８】
同様に、磁石アクチュエータの第１永久磁石からの磁束は、近くに磁性体が存在しないときには、Ｎ極から出て暫くして放射状に拡開し、逆向きに向きを変えてＳ極に近付き、Ｓ極を過ぎてからまた向きを変えてＳ極に戻る。
【０００９】
上記磁石アクチュエータも、Ｎ極からＳ極に向かう磁気の一部が磁性体（鉄板）である錠箱の側板の中を通ろうとする傾向がある。
【００１０】
そのため、第１永久磁石と側板の間に磁気吸引力が生じ、例えば第１永久磁石とその案内機構との間の摩擦抵抗の増大等により第１永久磁石の戻りが悪くなる。
【００１１】
通常、磁石アクチュエータは開扉時における待機位置への復帰を確実にするため戻りばねを設けてあるが（上記特許文献１、２参照）、作動力を大きくするため第１永久磁石の磁束密度を高めると、その戻りばねの弾力に拘らず戻らなくなることがあり、磁石アクチュエータが機能しなくなる、という不都合が生じる。
【００１２】
かかる不都合を解消しようとして戻りばねの弾力を大きくすると、その分磁石アクチュエータの作動力が減少し、減少した作動力を補償するため磁束密度を高めると、今度はその分側板との間の磁気吸引力が大きくなる、等所謂鼬ごっこになる。
【００１３】
そこで、この発明は、第１永久磁石と錠箱の側板との間に生じる磁気吸引力を減少させることができる磁石アクチュエータを提供することを目的としている。
【課題を解決するための手段】
【００１４】
上記の目的を達成するため、請求項１に記載の発明は、錠箱内のフロント板付近において、フロント板の板厚方向にに沿って外方の待機位置と内方の作動位置との間を移動可能に案内された第１永久の磁石を備え、閉扉時扉枠に装着された第２永久磁石との間に生じる磁気反発力により錠箱内方に向かう第１永久磁石の動きを利用するものにおいて、上記第１永久磁石の移動軌跡付近の錠箱の側板の部分を外方に膨らませることにより、両側板の内面に夫々凹陥部を形成したことを特徴とする。
【００１５】
また、請求項２に記載の発明は、上記凹陥部のフロント板に近い外端縁を、作動位置にある第１永久磁石の内面の錠箱側板への投影線にほぼ一致させるようにしたことを特徴とする。
【００１６】
更にまた、請求項３に記載の発明は、上記凹陥部のフロント板に近い外端縁を、作動位置にある第１永久磁石の内面の錠箱側板への投影線から外側に形成したことを特徴とする。
【発明の効果】
【００１７】
上記のように構成された請求項１に記載の発明による磁石アクチュエータは、作動位置にある第１永久磁石の内面から出る、或いは入る磁束から観て、錠箱の側板の表面、すなわち凹陥部の底面は従来より遠くなるので、その凹陥部の深さに相当する厚さの空気層が呈する磁気抵抗の増大を避け、むしろ磁気抵抗が小さい湾曲した磁束に沿って直接第１永久磁石の外面に向かい、或いは外面からの磁束が錠箱の側板を通らずに直接内面に入るので、錠箱の側板を通る磁束は格段に小さくなる。
【００１８】
そのため、錠箱の側板と第１永久の磁石との間の磁気吸引力の影響は殆ど無くなり、開扉時第１永久磁石は円滑に待機位置方向に向かって復帰できるようになる、という所期の効果を奏する。
【発明を実施するための形態】
【００１９】
作動位置にある第１永久磁石より内側の錠箱の側板の部分を外方に膨らませることにより両側板の内面に夫々凹陥部を形成すると共に、各凹陥部のフロント板に近い外端縁を、作動位置にある第１永久磁石の内面の錠箱側面への投影線付近から外側に形成する、という簡単な構成により、第１永久磁石と錠箱の側板との間に生じる磁気吸引力を減少させ、開扉時における第１永久磁石の待機位置への復帰を円滑にする。
【図面の簡単な説明】
【００２０】
【図１】この発明の一実施例によるドア用スイッチ装置の要部の側面図で閉扉状態を示す。
【図２】凹陥部の全体を示す錠箱の側面図。
【図３】錠箱の一部断面背面図。
【図４】錠箱の正面図。
【図５】従来のドア用スイッチ装置の側面図。
【図６】その閉扉状態を示す要部の側面図。
【実施例１】
【００２１】
以下、図面を参照してこの発明の実施例を説明する。
なお、図示の実施例は、磁石アクチュエータをドア用スイッチ装置、すなわち、開扉時及び閉扉時にマイクロスイッチを切替え駆動し、夫々開扉信号及び閉扉信号を取り出すドア用スイッチ装置に適用したものである。
【００２２】
図５は従来のドア用スイッチ装置の錠箱側の構成を示し、図５において符号１は錠箱を、符号２は第１永久磁石を夫々示す。
【００２３】
上記第１永久磁石２は上端を支軸３により回動自在に軸支された作動レバー４の自由端（下端）に埋設されている。なお、この作動レバー４は非磁性材料で構成されているものとする。
【００２４】
上記のように構成されたドア用スイッチ装置において、第１永久磁石２はフロント板５の厚さ方向（図５で左右方向）に着磁されており、また、錠箱１の側板に平行な平面内において揺動可能に支持、案内されている。
【００２５】
一方、図示しない扉枠の閉扉時第１永久磁石２と対向する部分には、これも図示しない第２永久磁石が装着されており、この第２永久磁石の着磁方向は第１永久磁石のそれと反対方向になっている（前記特許文献１参照）。
【００２６】
開扉時には、第１及び第２永久磁石が離間しているので、第１永久磁石２は、例えば支軸３に巻装された捩りコイルばねの弾力により、図５に示すように、作動レバー４の自由端の外面がフロント板５と同一面となる待機位置にある。
【００２７】
一方、閉扉時には、第１及び第２永久磁石が相互に異極で対向しつつ近接するので、図６に示すように、上記二つの永久磁石の間に作用する磁気反発力により、作動レバー４が反時計方向に回動し、その自由端がマイクロスイッチのアクチュエータ６を押動し、マイクロスイッチ７を切替えて、それまでマイクロスイッチ７から出力されていた開扉信号を閉扉信号に切替える。
【００２８】
上記したドア用スイッチの構成及び作用は前記特許文献１に詳細に説明されているので更に詳細な説明は省略するが、一般に、磁気アクチュエータの作動力、すなわちマイクロスイッチ７のアクチュエータ６を駆動する力を大きくするため、第１及び永久磁石の磁束密度は大きめに設定されている。
【００２９】
そのため、図４に示すように第１永久磁石２と錠箱の側板８との間に少なからぬ間隙が保たれているにも拘らず、第１永久磁石２からの磁束の一部が錠箱の側板に磁束の一部が流入してしまうこと、及びそれによる悪影響があることは前記した通りである。
【００３０】
上記した磁束の側板への漏洩に起因する不都合を解消するため、この発明が採った特徴的な構成は、図１及び図２に示すように、作動位置にある第１永久磁石より内側の錠箱の側板の部分を外方に膨らませることにより両側板の内面に夫々凹陥部９を形成したことである。
【００３１】
この凹陥部９は、図１においては全体の形状を明示するためマイクロスイッチ７を取り外し、かつ、ハッチングを施して示している。
【００３２】
また、図３においては、例えば側板の内面をプレス加工により凹陥部９を形成したときの側板８の外面の膨出部１０を示している。
【００３３】
上記凹陥部９のフロント板５に近い外端縁１１は、図１に示すように、作動位置にある第１永久磁石２の内面の錠箱側面８への投影線付近から外側に位置するように形成形成されている。
【００３４】
また、上記凹陥部９の内端縁は複雑な形状をしているが、これはマイクロスイッチ７の取付ねじ孔を避けているのであって、この内端縁の形状は本発明の要旨ではない。
【００３５】
上記のように構成されたこの発明の一実施例による磁石アクチュエータは、前記したように、作動位置にある第１永久磁石の内面から出る、或いは入る磁束は、錠箱の側板を通らないので、側板と第１永久磁石２との間には磁気吸引力が生じず、したがって開扉時における第１永久磁石２の待機位置方向への復帰が円滑に行われる。
【００３６】
なお、上記したように第１永久磁石２の内面から出る、或いは入るという概念は、磁束がＮ極から出てＳ極に戻る、という物理学における説明に対応させたものであるから、第１永久磁石の内面の極性はこの発明の要旨ではない。
【００３７】
また、図示の実施例における第１永久磁石２の待機位置への復帰は、マイクロスイッチのアクチュエータの板ばねとしての弾力を利用しているが、この弾力は、特許文献１及び２に記載されているように、独立した捩りコイルばねを利用してもよい。
【実施例２】
【００３８】
図１及び図２に示す実施例では、凹陥部９の外端縁１１を作動位置にある第１永久磁石２の内面の錠箱側面への投影線にほぼ一致させてあるが、これは本発明者等の実験の結果最良の位置を示したもので、図１に示す態様が本発明の唯一の実施例ではない。
【００３９】
例えば、上記凹陥部の外端縁１１を待機位置にある第１永久磁石２（図５参照）の内面にほぼ一致させるように設定してもよい、と推定される。
【００４０】
この実施例２による凹陥部の方が、第１永久磁石２の作動位置から待機位置への全行程において内面からの磁束から遠くなっているから、本発明の目的からしてより効果が大である、と推定される。
【符号の説明】
【００４１】
１  錠箱
２  第１永久磁石
３  支軸
４  作動レバー
５  フロント板
６  マイクロスイッチのアクチュエータ
７  マイクロスイッチ
８  側板
９  凹陥部
１０  膨出部
１１  外端縁
【図１】
2010209558.tif 000003
【図２】
2010209558.tif 000004
【図３】
2010209558.tif 000005
【図４】
2010209558.tif 000006
【図５】
2010209558.tif 000007
【図６】
2010209558.tif 000008